(57)【要約】  可燃性混合気に点火するためのコロナ点火システムおよび方法は、アーク放電が発生すると、アーク放電が検出されるとともに期間中のアーク放電が確実に持続するようにイグナイタへの電圧が上昇されるようなアーク放電、ならびに、期間中に火花点火による混合気の燃焼が生じる品質の検出および制御を含み、その後コロナ放電のみによる点火に復帰するように電圧が低下される。
2013520598.tif 000002
【特許請求の範囲】
【請求項１】
コロナイベント中にアークを検出する方法であって、
前記アークが検出されたときに、ＲＦトランスへの電圧を上昇させることによって前記アークを意図的に実行するステップを含む、方法。
【請求項２】
前記電圧の増加は、現在のサイクル中に実行され、
前記電圧は、後続のサイクル中に低減される、請求項１に記載の方法。
【請求項３】
前記電圧の増加および低減は、テーブルベースのマッピング手法に基づいている、請求項２に記載の方法。
【請求項４】
前記テーブルは、前記アークイベントに応じて適合される、請求項３に記載の方法。
【請求項５】
前記コロナイベントが開始されると、前記ＲＦトランスへの前記電圧を維持するステップをさらに含む、請求項１に記載の方法。
【請求項６】
前記テーブルから時間および電圧を読み出すステップと、
パラメータを用いて前記時間および電圧を調整するステップと、
燃焼状態を決定するステップと、
前記パラメータを修正するステップとをさらに含む、請求項５に記載の方法。
【請求項７】
燃焼室内の可燃混合気に点火する方法であって、
イグナイタに電圧を印加して、アークを形成することなく前記イグナイタからコロナ放電を生成し、それによって、第１の期間において前記コロナ放電を用いて前記室内の前記可燃混合気に点火するステップと、
前記コロナの誘電破壊が発生するとともに、前記イグナイタからのアーク放電が発生するように条件を変更するステップと、
前記アーク放電イベントの発生を検出するステップと、
前記イグナイタへ印加する前記電圧を増大させて点火サイクルの第２の期間においてさらなるアーク放電イベントを生じさせ、前記第２の期間中に火花点火によって前記混合気に点火するステップとを含む、方法。
【請求項８】
アーク放電による点火の前記第２の期間に続いて、アーク放電を伴わないコロナ放電に復帰するレベルに前記印加電圧を低下させて、コロナ放電点火による前記混合気への点火を継続する、請求項７に記載の方法。
【請求項９】
電子制御装置を有する車両のマイクロプロセッサで実行可能であり、有形的媒体に記録されたコンピュータプログラム製品であって、
コロナイベント中にアークを検出し、前記アークが検出されたときに、ＲＦトランスへの電圧を上昇させることによって前記アークを意図的に実行するステップを含む、コンピュータプログラム製品。
【請求項１０】
チャネルを設定するとともに、低電圧を印加するステップと、
トランスでの電圧を計測するステップと、
前記電圧が所定の限界値の間にある場合に、前記チャネルを増加させるとともに、前記電子制御装置からのアクティブエッジが検出されたか否かを決定するステップと、
エンジンパラメータを収集するステップとをさらに含む、請求項９に記載のコンピュータプログラム製品。
【請求項１１】
前記テーブルから時間および電圧を読み出すステップと、
パラメータを用いて前記時間および電圧を調整するステップと、
燃焼状態を決定するステップと、
電圧を印加するステップと、
前記パラメータを修正するステップとをさらに含む、請求項９に記載のコンピュータプログラム製品。
【請求項１２】
前記エンジンパラメータは、速度、負荷、温度、およびチャネル番号を含む、請求項７に記載のコンピュータプログラム製品。
【発明の詳細な説明】
【技術分野】
【０００１】
優先権の主張
本発明は、２０１０年２月１２日に出願された米国仮出願第６１／３０４，１３０号の優先権の利益を主張し、その全体の内容は、参照により本明細書に援用される。 
【０００２】
本発明は、一般に、自動車用アプリケーションなどで空気／燃料混合気に点火するために使用されるコロナ放電イグナイタに関し、特に、コロナ放電イグナイタにおけるアーク放電を検出し、意図的にイグナイタにアークを生じさせるシステム及び方法に関する。
【背景技術】
【０００３】
関連技術
米国特許第６，８８３，５０７号は、コロナ放電による空気／燃料の点火システムで使用するためのイグナイタを開示している。図１は、典型的なコロナ放電点火システムの要素の一例を示す。点火システムは、高周波ステップアップトランス２０をはさんで高電圧回路３０に結合された低電圧回路１０を含み、高電圧回路３０は、燃焼室５０の室内にある電極４０にさらに結合される。
【０００４】
上述のように、コロナ点火システムでは、高周波高電圧信号は、燃焼室５０の室内に配置された電極４０に印加される。この信号が印加されると、燃焼室５０の室内に電界が発生する。電界は、室内のイオンの数を大幅に増加させるのに十分な強度を有する。特定の条件において、イオンは、電極からシリンダヘッドまたはピストンへの導電経路を形成することができる。電圧が十分に高い場合は、この経路を流れる電流は、この経路を加熱して、さらに多くのイオンを形成する。これは、確立されたアークをもたらすカスケードプロセスとなり得る。このアークは、電極４０を加熱する。同時に、アーク放電は、室内の燃料の点火に対してコロナ放電よりも効果的ではない。したがって、アークの抑制が必要である。アークを抑制し、点火を確実にするために使用されるいくつかの従来方法がある。アークの形成を抑制するには、回路の接地に対するインピーダンスを測定し、それに応じて電圧を調整する必要がある。
【０００５】
図２は、先行技術に係るアーク形成抑制のフローチャートを示す。図示されるように、コロナが開始されるとともに（２００）、システムはコロナの状態を監視する。コロナが残っているイベントでは（２０２）、ＲＦトランスでのＤＣ電圧は維持され（２０４）、点火が成功する可能性が高い（２０６）。一方、コロナがアークを形成し始めると（２０８）、ＲＦトランスでのＤＣ電圧が低減されて、さらなるアークの形成の防止が試みられる（２１０）。
【発明の概要】
【課題を解決するための手段】
【０００６】
一般的な用語では、本発明は、自動車用炉、および、点火されるべき可燃混合気を有する他のアプリケーションにおける空気／燃料混合気を点火するために使用されるコロナ放電点火システムおよび方法を提供し、特に、コロナ放電イグナイタにおいてアーク放電が検出されたときに、ある期間アーク放電を意図的に強化するための調整が行われるシステムおよび方法を提供する。
【０００７】
本発明は、（１）インダクタへの電流の急激な変化、（２）インダクタへの電圧の急激な変化、（３）インダクタの共振周波数の急激な変化、（４）計算されたコロナ群抵抗の急激な変化、および（５）電離検出およびクランクシャフトの速度変化による失火検出を含むいくつかの方法のいずれかでアーク放電を検出する。検出方法は開示された方法に限定されず、当業者によって容易に理解されるような多くの数の検出方法が用いられてもよいことが理解される。
【０００８】
本発明の一実施形態では、コロナイベント時のアークを検出したときに、回路への電圧が増加されて、アーク放電の発生が確実に行われる。電圧の増加は、燃焼室に接続された点火装置への最大電圧を提供する。その後の点火イベントのために回路に適用されるように決定された電圧値は、同時に所定量まで減少し、メモリに記録される。ソフトウェアまたは制御プログラム（たとえば、アルゴリズム）は、アーク放電を検出するよう、電子ハードウェアとともに点火制御ソフトウェアにおいて動作し、その後改訂された記録値をテストする。
【０００９】
本発明におけるこれらならびに他の特徴および利点は、好ましい実施形態の詳細な説明から当業者にはより明らかになるであろう。詳細な説明に付随する図面が以下に説明される。
【図面の簡単な説明】
【００１０】
【図１】先行技術に従うコロナ放電点火システムの一例の構成を示す。
【図２】先行技術に従うアーク形成抑制のフローチャートを示す。
【図３】本発明に従うコロナ点火回路の回路図の一例を示す。
【図４】本発明に従うコロナ点火回路の回路図の一例を示す。
【図５】本発明に従うコロナ点火回路の回路図の一例を示す。
【図６】本発明に従う意図的なアーク放電方法のフローチャートを示す。
【図７】本発明に従う制御プログラムにおける上位のフローチャートの一例を示す。
【図８Ａ】制御プログラムによって点火イベントのための低減された電圧を計算するために用いられる一般的なルックアップテーブルの一例を示す。
【図８Ｂ】制御プログラムによって点火イベントのための低減された電圧を計算するために用いられる一般的なルックアップテーブルの一例を示す。
【図９】本発明に従う制御プログラムの詳細なフローチャートの一例である。
【発明を実施するための形態】
【００１１】
コロナ点火システムでは、高周波信号が電子回路で生成され、同軸ケーブルを介してイグナイタへ伝送される。電圧が高すぎる場合には、望ましくないアークが電極先端からヘッドに形成されることがある。本発明の背景に記載された公知のコロナシステムの１つでは、アーク放電および点火の失敗を防ぐために、積極的にインピーダンスを計測および監視する複雑なシステムが採用される。しかしながら、コロナイベントの開始を試みる間にアーク放電を抑制することは必ずしも可能ではなく、そのような場合には、ある期間における適正な点火のためにアークエネルギーを確実に最大化することが好ましいことが判明した。本発明の一局面に従うコロナ点火システムは、コロナイベントを監視し、アーク放電が発生すると、回路への電圧を増加させるために、ある期間におけるアーク放電およびアーク放電の品質を最大化するような調整が行われ、これにより、点火が成功する可能性を高くすることができる。
【００１２】
図３〜図５は、本発明の一実施形態に従うコロナ点火回路の回路図の一例を示す。図面において、同様の参照符号は、同様の要素を表す。回路は、接地１０５と、点火駆動電子装置１００と、イグナイタインダクタ１１０と、燃焼室ガス１２５を介したイグナイタティップから接地への抵抗と、イグナイタ並列容量１３０と、イグナイタティップ１３５とを含む。イグナイタティップ１３５は、イグナイタの一部であって、特に、単一の中心電極に結合され、かつ、内燃機関のエンジンブロックに結合されるシリンダヘッドのイグナイタボアの中に取り付けられてもよい。第２の電極にあたるものはなく、コロナの生成は、いくつかのプラズマジェットタイプの点火システムのように２つの電極間で行われるのではなく、イグナイタティップで行われる。エンジンブロックは、ピストンが往復する燃焼シリンダを含む。エンジンは、複数の燃焼シリンダと関連するピストンを有してもよい（図示せず）。
【００１３】
回路は、外部のエンジンコンピュータ（図示せず）から点火信号を受ける、電力増幅器のような点火駆動電子装置１００によって駆動される。点火駆動電子装置１００は、イグナイタインダクタ１１０へ固有振動数において印加される電圧を出力する。イグナイタインダクタ１１０は、入力電圧をイグナイタティップに印加される高電圧へ増幅する。
【００１４】
動作においては、駆動電子装置は、インダクタに印加される交流電圧を生成する。インダクタンス、抵抗、およびキャパシタンスからなるＬＲＣは、固有振動数を有しており、印加される交流電圧がＬＲＣの固有振動数の成分を含む場合は、イグナイタティップでのインダクタ電圧は、印加される電圧の倍数になる。図３は、真空において動作する回路を示す。図４は、コロナイベントにおいてイグナイタティップが端燃焼室内に配置された図３のシステムを示し、特に点火の時点で室内に存在するガスは、電流に対する抵抗を有する。駆動電圧がインダクタに印加されると、イグナイタティップにおいてコロナが形成される。イオン化されたガスのこの領域は、さらに低減された抵抗を有する。さらに、いくらかの電流が燃焼端から接地へ流れる可能性がある。
【００１５】
イグナイタティップとシリンダヘッドとの間のイオンの濃度が特定の値を超えると、この領域における抵抗は、イグナイタティップから接地へ電流が直接流れることができるレベルに低下する。これは、カスケード現象であり、一旦流れる電流が特定の値を超えると、これがガスを加熱し、イオンの数を増加させて、さらに抵抗を低減させる。このカスケードの間、イオン化された領域における温度が上昇するとともに、アークを形成する（図５）。アークの高温は、イグナイタティップを損傷する可能性があり、混合気を点火する機能を低下させる。
【００１６】
寒冷気候または悪動作条件などの特定のイベントは、コロナが発生しない、または、アークが抑制されないような、動作に悪影響を与える。これが発生すると、本発明は、図６に示すように、点火を発生するためにアークの可能性および品質を最大化することを目指す。図６は、本発明に従う意図的なアーク放電方法のフローチャートを示す。図示するように、コロナが開始されるとともに（２１４）、システムはコロナの状態を監視する。コロナが残っているイベントでは（２１６）、システムのＲＦトランスにおいてＤＣ電圧が維持され（２１８）、点火が成功する可能性が高くなる（２２０）。一方、コロナがアークを形成し始めると（２２２）、ＲＦトランスにおいてＤＣ電圧が増加されて、アークが強制的に維持される（２２４）。すなわち、コロナイベント中にアークが検出されると、回路への電圧が増加されてアーク放電の発生を確実にするとともに、点火の可能性が最大化されるレベルを保証する（２２６）。後続の点火イベントのために回路に印加されるように決定された電圧値は、コロナ点火のみに戻るように同時に所定量まで減少し、メモリに記録され、フラグがセットされる（２２８）。ソフトウェアまたは制御プログラム（たとえば、アルゴリズム）は、アーク放電を検出するよう、電子ハードウェアとともに点火制御ソフトウェアにおいて動作し、その後改訂された記録値をテストする。
【００１７】
図７は、本発明に従う制御プログラムにおける上位のフローチャートの一例を示す。制御プログラム（または学習アルゴリズム）は、初めに、メモリに記憶されたテーブルからコロナ継続時間およびＤＣ電圧を読み出す（２５）。テーブルの一例は図８に示され、それは電圧、コロナ継続時間、およびシリンダ情報を記憶する。以下においてより詳細に述べるように、時間およびＤＣ電圧が、α、β、およびζを用いて調整され（２５２）、燃焼状態が決定され（２５４）、そして、α、β、およびζが修正される（２５６）。
【００１８】
図９は、本発明に従う制御プログラムの詳細なフローチャートの一例である。車両のイグニション（キーオン）をオンにすると（２６０）、コントローラを含む電子回路に電力が供給され（２６２）、制御プログラムが起動する（２６４）。動作中、制御プログラムは、設定チャネルＸがＸ１と等しいか否かを決定する（２６６）。チャネルＸがＸ１に設定されている場合は、制御プログラムは処理を進めて、印加電圧が特定の限界値間にあるか否かを決定し、チャネルＸを増加させる（２７２）。チャネルＸがＸ１に設定されていない場合は、低ＤＣ電圧（ＶＤＣ）がセンタータップチャネルＸに印加され（２６８）、ＲＦトランスの出力チャネルＸにおける電圧が計測される（２７０）。そして、制御プログラムは、処理を進めて、電圧が特定の限界値間にあるか否かを決定し、チャネルＸを増加させる（２７２）。計測された電圧が特定の限界値間にない場合は、点火不良があり、エンジン制御ユニット（ＥＣＵ）は、通知を受ける（２７４）。一方、計測された電圧が特定の限界値間にある場合は、制御プログラムは、ＥＣＵからのアクティブエッジ用の入力信号を監視する（２７６）。一旦アクティブエッジが検出されると、制御プログラムは、エンジン速度、負荷、およびチャネル番号（総称して、エンジン情報）を取得する（２７８）。エンジン情報が取得されると、図８に一般的に示される記憶されたテーブルがアクセスされて、エンジン情報に対応する継続時間およびＤＣ電圧が取得される（２８０）。そして、継続時間およびＤＣ電圧が、α、β、およびζを用いて調整される（２８２）。継続時間およびＤＣ電圧が調整された後に、ＤＣ電圧がセンタータップチャネルＸに印加されるとともに（２８４）、制御プログラムは、継続時間が終了したか否かを決定する（２８６）。そうでない場合は、ＤＣ電圧が再度印加される。継続時間が終了した場合は、制御プログラムはＥＣＵからの信号のアクティブエッジがあるか否かを決定する処理に戻る。並行して、継続時間およびＤＣ電圧を調整した後に、制御プログラムは、燃焼状態を決定し（２８８）、α、β、およびζを修正する（２９０）。修正された計算値は、次のサイクルの間に使われる。
【００１９】
上述の発明は、関連する法的基準に準拠して記載されており、したがって、記載は、本来限定的というよりは、例示的なものである。開示された実施形態への変形及び変更は、当業者にとって自明であり、本発明の範囲に含まれる。したがって、本発明に与えられる法的保護の範囲は、以下の特許請求の範囲を検討することによってのみ決定される。
【図１】
2013520598.tif 000003
【図２】
2013520598.tif 000004
【図３】
2013520598.tif 000005
【図４】
2013520598.tif 000006
【図５】
2013520598.tif 000007
【図６】
2013520598.tif 000008
【図７】
2013520598.tif 000009
【図８Ａ】
2013520598.tif 000010
【図８Ｂ】
2013520598.tif 000011
【図９】
2013520598.tif 000012
【手続補正書】
【提出日】平成25年1月30日(2013.1.30)
【手続補正１】
【補正対象書類名】特許請求の範囲
【補正対象項目名】全文
【補正方法】変更
【補正の内容】
【特許請求の範囲】
【請求項１】
燃焼室内の可燃混合気に点火する方法であって、
イグナイタに電圧を印加して、コロナ放電を意図的に生成するステップと、
前記イグナイタに前記電圧を印加してコロナイベントを開始することを試みる間に不要なアークが検出されたときに、前記イグナイタに印加される前記電圧を上昇させることによって前記アークを意図的に強化するステップとを含む、方法。
【請求項２】
前記電圧の増加は、現在のサイクル中に実行され、
前記電圧は、後続のサイクル中に低減される、請求項１に記載の方法。
【請求項３】
前記電圧の増加および低減は、テーブルベースのマッピング手法に基づいている、請求項２に記載の方法。
【請求項４】
前記テーブルは、前記アークに応じて適合される、請求項３に記載の方法。
【請求項５】
前記コロナ放電が生成されると、前記イグナイタに印加される前記電圧を維持するステップをさらに含む、請求項１に記載の方法。
【請求項６】
テーブルからコロナ継続時間およびＤＣ電圧を読み出すステップと、
エンジンパラメータを用いて前記コロナ継続時間およびＤＣ電圧を調整するステップと、
燃焼状態を決定するステップと、
前記パラメータを修正するステップとをさらに含む、請求項１に記載の方法。
【請求項７】
燃焼室内の可燃混合気に点火する方法であって、
イグナイタに電圧を印加して、アークを形成することなく前記イグナイタからコロナ放電を意図的に生成し、それによって、第１の期間において前記コロナ放電を用いて前記室内の前記可燃混合気に点火するステップと、
前記イグナイタに前記電圧を印加してコロナイベントを開始することを試みる間に前記イグナイタからの不要なアークが検出されたときに、前記イグナイタへ印加する前記電圧を増大させて第２の期間においてさらなるアーク放電を意図的に生じさせ、前記第２の期間中に火花点火によって前記混合気に点火するステップとを含む、方法。
【請求項８】
アーク放電による点火の前記第２の期間に続いて、アーク放電を伴わないコロナ放電に復帰するレベルに前記印加電圧を低下させて、コロナ放電点火による前記混合気への点火を継続する、請求項７に記載の方法。
【請求項９】
電子制御装置を有する車両のマイクロプロセッサで実行可能であり、有形的媒体に記録されたコンピュータプログラム製品であって、
イグナイタに電圧を印加してコロナ放電を意図的に生成することによって燃焼室内の可燃混合気に点火するステップと、
前記イグナイタに前記電圧を印加してコロナイベントを開始することを試みる間に不要なアークが検出されたときに、前記イグナイタに印加される前記電圧を上昇させることによって前記アークを意図的に強化するステップとを含む、コンピュータプログラム製品。
【請求項１０】
チャネルを設定するとともに、前記電圧を印加するステップをさらに含み、
前記電圧は、低電圧であり、
前記コンピュータプログラム製品は、
トランスでの前記電圧を計測するステップと、
前記電圧が所定の限界値の間にある場合に、前記チャネルを増加させるとともに、前記電子制御装置からのアクティブエッジが検出されたか否かを決定するステップと、
エンジンパラメータを収集するステップとをさらに含む、請求項９に記載のコンピュータプログラム製品。
【請求項１１】
前記テーブルからコロナ継続時間およびＤＣ電圧を読み出すステップと、
エンジンパラメータを用いて前記コロナ継続時間およびＤＣ電圧を調整するステップと、
燃焼状態を決定するステップと、
前記イグナイタに電圧を印加するステップと、
前記パラメータを修正するステップとをさらに含む、請求項９に記載のコンピュータプログラム製品。
【請求項１２】
前記エンジンパラメータは、速度、負荷、温度、およびチャネル番号を含む、請求項９に記載のコンピュータプログラム製品。
【手続補正２】
【補正対象書類名】明細書
【補正対象項目名】０００４
【補正方法】変更
【補正の内容】
【０００４】
上述のように、コロナ点火システムでは、高周波高電圧信号は、燃焼室５０の室内に配置された電極４０に印加される。この信号が印加されると、燃焼室５０の室内に電界が発生する。電界は、室内のイオンの数を大幅に増加させるのに十分な強度を有する。特定の条件において、イオンは、電極からシリンダヘッドまたはピストンへの導電経路を形成することができる。電圧が十分に高い場合は、この経路を流れる電流は、この経路を加熱して、さらに多くのイオンを形成する。これは、確立されたアークをもたらすカスケードプロセスとなり得る。このアークは、電極４０を加熱する。同時に、アーク放電は、室内の燃料の点火に対してコロナ放電よりも効果的ではない。したがって、アークの抑制が必要である。アークを抑制し、点火を確実にするために使用されるいくつかの従来方法がある。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
一般的な用語では、本発明は、自動車用エンジン、および、点火されるべき可燃混合気を有する他のアプリケーションにおける空気／燃料混合気を点火するために使用されるコロナ放電点火システムおよび方法を提供し、特に、コロナ放電イグナイタにおいてアーク放電が検出されたときに、ある期間アーク放電を意図的に強化するための調整が行われるシステムおよび方法を提供する。
本発明の一局面は、燃焼室内の可燃混合気に点火する方法を提供し、この方法は、イグナイタに電圧を印加して、コロナ放電を意図的に生成するステップと、イグナイタに電圧を印加してコロナイベントを開始することを試みる間に不要なアークが検出されたときに、イグナイタに印加される電圧を上昇させることによってアークを意図的に強化するステップとを含む。本発明のもう一つの局面は、燃焼室内の可燃混合気に点火する方法を提供し、この方法は、イグナイタに電圧を印加して、アークを形成することなくイグナイタからコロナ放電を意図的に生成し、それによって、第１の期間においてコロナ放電を用いて室内の可燃混合気に点火するステップと、イグナイタに電圧を印加してコロナイベントを開始することを試みる間にイグナイタからの不要なアークが検出されたときに、イグナイタへ印加する電圧を増大させて第２の期間においてさらなるアーク放電を意図的に生じさせ、第２の期間中に火花点火によって混合気に点火するステップとを含む。本発明のさらにもう一つの局面は、電子制御装置を有する車両のマイクロプロセッサで実行可能であり、有形的媒体に記録されたコンピュータプログラム製品を提供し、このコンピュータプログラム製品は、イグナイタに電圧を印加してコロナ放電を意図的に生成することによって燃焼室内の可燃混合気に点火するステップと、イグナイタに電圧を印加してコロナイベントを開始することを試みる間に不要なアークが検出されたときに、イグナイタに印加される電圧を上昇させることによってアークを意図的に強化するステップとを含む。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】００１２
【補正方法】変更
【補正の内容】
【００１２】
図３〜図５は、本発明の一実施形態に従うコロナ点火回路の回路図の一例を示す。図面において、同様の参照符号は、同様の要素を表す。回路は、接地１０５と、点火駆動電子装置１００と、イグナイタインダクタ１１０と、燃焼室ガス１２５を介したイグナイタティップから接地への抵抗と、イグナイタ並列容量１３０と、イグナイタティップ１３５とを含む。イグナイタティップ１３５は、イグナイタの一部であって、特に、単一の中心電極に結合され、かつ、内燃機関のエンジンブロックに結合されるシリンダヘッドのイグナイタボアの中に取り付けられてもよい。第２の電極にあたるものはなく、コロナの生成は、点火システムのように２つの電極間で行われるのではなく、イグナイタティップで行われる。エンジンブロックは、ピストンが往復する燃焼シリンダを含む。エンジンは、複数の燃焼シリンダと関連するピストンを有してもよい（図示せず）。
【手続補正８】
【補正対象書類名】明細書
【補正対象項目名】００１６
【補正方法】変更
【補正の内容】
【００１６】
寒冷気候または悪動作条件などの特定のイベントは、アークができるような、動作に悪影響を与える。これが発生すると、本発明は、図６に示すように、点火を発生するためにアークの可能性および品質を最大化することを目指す。図６は、本発明に従う意図的なアーク放電方法のフローチャートを示す。図示するように、コロナが開始されるとともに（２１４）、システムはコロナの状態を監視する。コロナが残っているイベントでは（２１６）、システムのＲＦトランスにおいてＤＣ電圧が維持され（２１８）、点火が成功する可能性が高くなる（２２０）。一方、コロナがアークを形成し始めると（２２２）、ＲＦトランスにおいてＤＣ電圧が増加されて、アークが強制的に維持される（２２４）。すなわち、コロナイベント中にアークが検出されると、回路への電圧が増加されてアーク放電の発生を確実にするとともに、点火の可能性が最大化されるレベルを保証する（２２６）。後続の点火イベントのために回路に印加されるように決定された電圧値は、コロナ点火のみに戻るように同時に所定量まで減少し、メモリに記録され、フラグがセットされる（２２８）。ソフトウェアまたは制御プログラム（たとえば、アルゴリズム）は、アーク放電を検出するよう、電子ハードウェアとともに点火制御ソフトウェアにおいて動作し、その後改訂された記録値をテストする。
【国際調査報告】
2013520598.tif 000013
2013520598.tif 000014